(57)【要約】【課題】情報記録媒体の包装構造を簡素化して省資源化を図り、帯状の熱収縮性止めバンドに皺付きが生じるのを解消する。【解決手段】情報記録媒体Ｍが収納された収納ケース５と、インデックスカードＳ１とを包装対象とする。インデックスカードＳ１は、収納ケース５のケース上面５ａの少なくとも一部を覆う上面片７と、上面片７の前端から下向きに折り曲げ連設されて収納ケース５の前面側を覆う前面片９と、前面片９の下端から後方向に折り曲げ連設されて収納ケース５のケース下面５ｂの少なくとも一部を覆う下面片１０とを含む。前記収納ケース５の外周面には、熱収縮性フィルムからなる無端状の止めバンド６が、インデックスカードＳ１を跨いで前後方向に巻き付けられている。前記ケース上面５ａにおける止めバンド６の前後長さ寸法（Ａ）に対して、止めバンド６の左右幅寸法（Ｂ）が、４≦Ａ／Ｂ≦１０の関係を満たすように寸法設定されている。【選択図】図１
2006327645.tif 000002
【特許請求の範囲】
【請求項１】
カートリッジ化された情報記録媒体が収納された収納ケースと、前記収納ケースに付設されるインデックスカードとを包装対象とし、
前記インデックスカードは、前記収納ケースのケース上面の少なくとも一部を覆う上面片と、前記上面片の前端から下向きに折り曲げ連設されて前記収納ケースの前面側を覆う前面片と、該前面片の下端から後方向に折り曲げ連設されて前記収納ケースのケース下面の少なくとも一部を覆う下面片とを含み、
前記収納ケースの外周面に、熱収縮性フィルムからなる無端帯状の止めバンドが、前記インデックスカードを跨いで前後方向に巻き付けられており、
前記ケース上面における前記止めバンドの前後長さ寸法（Ａ）に対して、前記止めバンドの左右幅寸法（Ｂ）が、４≦Ａ／Ｂ≦１０の関係を満たすように寸法設定されていることを特徴とする情報記録媒体の包装構造。
【請求項２】
前記収納ケースに前記インデックスカードを前記止めバンドで縛ってなる単位包装体の複数個を集積した状態で、その外周面の全体が熱収縮性の包装シートで封止包装されている請求項１記載の情報記録媒体の包装構造。
【発明の詳細な説明】
【技術分野】
【０００１】
本発明は、ディスクカートリッジやテープカートリッジなどの情報記録媒体の簡易な包装構造に関する。
【背景技術】
【０００２】
特許文献１には、情報記録媒体が収納された収納ケースの外周面に、インデックスカードを熱収縮性フィルムからなる止めバンドのみで個別包装して、包装構造の簡素化を図っている。そこでのインデックスカードは、上面片と、該上面片の前端から垂直方向に折り曲げられた前面片と、該前面片の下端から後方向に折り曲げられた下面片とを含んでコ字状に折り曲げ形成されており、前面片で収納ケースの開口部を塞ぎ、上下面片で収納ケースの上面と下面の一部を覆っている。同種の包装形態は、特許文献２、３にも認められる。
【０００３】
【特許文献１】特開２００１−１９９４９４号公報
【特許文献２】特開２００１−０１０６６４号公報
【特許文献３】特開２００１−０１９０８２号公報
【発明の開示】
【発明が解決しようとする課題】
【０００４】
上記の包装構造によれば、収納ケースの全周面を包装フィルムで覆う従来形式に比べて、省資源化を実現できる。しかし、止めバンドに部分的な弛みが生じて皺ができやすく、単位包装体（本発明に係る図１参照）、あるいは複数個の単位包装体を集積化してなる集合包装体（本発明に係る図４参照）において、外観上の印象が大きく損なわれる点に問題があった。
【０００５】
上記の問題点は、止めバンドの左右幅寸法を小さく設定すれば解決できる。しかし、止めバンドの左右幅寸法を闇雲に小さく設定して行っても、止めバンドが不用意に切断されやすくなるだけである。その結果、情報記録媒体の生産効率の低下や歩留りの低下などの新たな問題を招く。
【０００６】
そこで本発明の目的は、この種の包装構造において、止めバンドの皺付きを防ぎ、さらに止めバンドの切断に由来する製造トラブルの発生を防ぐことにある。
【課題を解決するための手段】
【０００７】
本発明に係る情報記録媒体の包装構造は、図１ないし図３に示すごとく、カートリッジ化された情報記録媒体Ｍが収納された収納ケース５と、この収納ケース５に付設されるインデックスカードＳ１とを包装対象としている。
【０００８】
インデックスカードＳ１は、収納ケース５のケース上面５ａの少なくとも一部を覆う上面片７と、前記上面片７の前端から下向きに折り曲げ連設されて収納ケース５の前面側を覆う前面片９と、該前面片９の下端から後方向に折り曲げ連設されて収納ケース５のケース下面５ｂの少なくとも一部を覆う下面片１０とを含む。収納ケース５が、前面に情報記録媒体Ｍを抜き差しするための開口部３を有する左右横長のブックケース型の場合、インデックスカードＳ１の前面片９は、収納ケース５の前記開口部３の前面外側を全面的ないし部分的に覆う機能を持つ。但し、本発明が対象とする情報記録媒体Ｍの種類、および収納ケース５の形態は図示例に限定されない。
【０００９】
収納ケース５の外周面には、熱収縮性フィルムからなる無端帯状の止めバンド６が、インデックスカードＳ１を跨いで前後方向に巻き付けられている。熱収縮性フィルムからなる止めバンド６は、巻き掛けた後に加熱することにより熱収縮し、これで収納ケース５にインデックスカードＳ１を縛り付けるよう働く。
【００１０】
そのうえで本発明では、前記ケース上面５ａにおける止めバンド６の前後長さ寸法（Ａ）に対して、止めバンド６の左右幅寸法（Ｂ）が、４≦Ａ／Ｂ≦１０の関係を満たすように寸法設定されていることを特徴とする。
【００１１】
また、本発明は、図４に示すごとく収納ケース５にインデックスカードＳ１を止めバンド６で縛ってなる単位包装体１１の複数個を集積した状態で、その集合包装体１６の外周面の全体を熱収縮性の包装シート１３で封止包装することができる。
【発明の効果】
【００１２】
本発明においては、収納ケース５のケース上面５ａにおける止めバンド６の前後長さ寸法Ａと、止めバンド６の左右幅寸法Ｂとで規定される（Ａ／Ｂ）の値を、４〜１０とした。つまり、好適な止めバンド６の左右幅寸法Ｂの範囲は、前後の長さ寸法Ａに対して、１０分の１以上、４分の１以下となるようにした。
【００１３】
これによれば、特許文献１などの従来構造に比して、収納ケース５のケース上面５ａおよびケース下面５ｂに存する止めバンド６の面積を小さくしたので、熱収縮時において止めバンド６に皺付きが生じることを効果的に防いで、情報記録媒体Ｍの外観包装形態を良好に保つことができる。つまり、ミニディスクを用いた後述の表１に係る試験結果から、（Ａ／Ｂ）の値が「４」を下回ると熱収縮により止めバンド６に皺付きを生じるが（Ｎo.２）、（Ａ／Ｂ）の値を「４」以上であると、皺の発生を効果的に抑えることができることがわかった（Ｎo.３）。因みに、特許文献１の従来例における止めバンドの（Ａ／Ｂ）の概算値は「２」であり、当該形態では皺付きが発生した。
【００１４】
また、Ｎo.６およびＮo.７の試験結果より、（Ａ／Ｂ）の値が「１０」以下であれば、止めバンド６の強度を良好に保って、情報記録媒体Ｍの包装作業中に止めバンド６が不用意に切断される不具合を効果的に抑え得ることができ、したがって製造トラブルの発生を確実に回避できることがわかった。
【００１５】
より好ましい（Ａ／Ｂ）値の範囲は「４〜５」である。「５」を超えると、止めバンド６が破れて製造作業の中断を招くおそれがある（Ｎo.４およびＮo.５参照）。これに対して、本発明のように（Ａ／Ｂ）の値が「５」以下だと、止めバンド６の切断は確実に防止できる。
【００１６】
止めバンド６の皺付きは、とくに複数個の単位包装体１１を集積化して、図４に示すごとく集合包装体１６とした際に顕著に現出する。つまり、止めバンド６に弛みが生じている状態で、単位包装体１１の複数個を集積し、その外周面全体を包装シート１３で封止包装して集合包装体１６にすると、該集合包装体１６の最外面に存する単位包装体１１の止めバンド６の弛みが、包装シート１３を熱収縮させた際にだぶ付いて、皺となって集合包装体１６の外面に現出しやすい。このように止めバンド６に皺付きがあると、集積包装体１６を店頭等においた際に差ができて違和感を生じさせ、結果として商品性が損なわれるといった問題が生じていた。
【００１７】
この点、本発明によれば、上述のように単位包装体１１の包装構造として、（Ａ／Ｂ）の値を「４」以上として、止めバンド６の皺付きを防いでいるので、単位包装体１１の複数個を集積し、その外周面全体を包装シート１３で封止包装して集合包装体１６とした場合においても、集合包装体１６の外面に皺付きが現出することは無い。したがって、皺付きによって集合包装体１６の外観上の印象が損なわれることを確実に解消できる。複数個の集合包装体１６を重ね合わせた状態でも段差の発生が無く、店頭等において違和感無く陳列できる。また、（Ａ／Ｂ）の値を「１０」以下としたから、止めバンド６の強度を良好に保って、単位包装体１１の包装作業中や集合包装体１６の包装作業中に、止めバンド６が不用意に切断される不具合を効果的に抑えることができ、したがって製造トラブルの発生の回避や製品歩留りの向上をより一層図れる。
【発明を実施するための最良の形態】
【００１８】
図１ないし図４は本発明に係る情報記録媒体の包装構造の実施形態を示しており、包装対象の情報記録媒体Ｍが、図２に示すごとく光磁気ディスク１を四角形状のカートリッジケース２に収容したミニディスクである。
【００１９】
情報記録媒体Ｍは、左右横長のブックケース型に形成されて、前面に情報記録媒体Ｍの挿脱用の開口部３を備える収納ケース５に収納されて、インデックスカードＳ１およびタイトルカードＳ２とともに、熱収縮性フィルムからなる止めバンド６で簡易包装される。収納ケース５は、例えばポリスチレン樹脂やポリプロピレン樹脂で成形する。
【００２０】
インデックスカードＳ１は、上面片７と、該上面片７の前端から垂直方向に折り曲げ連設された前面片９と、該前面片９の下端から後方向に折り曲げ連設された下面片１０とを含んでコ字状に形成されている。
【００２１】
包装に際しては、情報記録媒体Ｍが収納された収納ケース５の下側にタイトルカードＳ２を重ね、コ字状に折り曲げたインデックスカードＳ１の上下面片７・１０を、これらが収納ケース５のケース上面５ａおよびケース下面５ｂの一部を覆うように添付する。このとき、インデックスカードＳ１の前面片９によって収納ケース５の開口部３がほぼ全面的に塞がれる。
【００２２】
この状態で、図１に示すごとく収納ケース５の外周面における左右方向の中央部位に、１本の止めバンド６を前後方向に巻き付け、止めバンド６の両端どうしを重ねた状態で熱溶着し、止めバンド６を無端帯状とする。予め無端状に形成しておいた帯状の止めバンド６を収納ケース５に外嵌装着してもよい。さらに、止めバンド６は、これの両端部どうしを接着して、無端帯状にしてもよい。
【００２３】
この後に、止めバンド６を加熱して熱収縮させ、収納ケース５の外周面に密着させることにより、全ての包装対象を分離不能に包装する。このように止めバンド６を用いて情報記録媒体Ｍ、収納ケース５、インデックスカードＳ１およびタイトルカードＳ２の四者を一体包装すると、全体を包装用フィルムで覆う形式に比べて包装用フィルムの使用量が少なくて済み、省資源化に寄与できる。
【００２４】
そのうえで本実施形態では、図１に示すごとく、ケース上面５ａ（ケース下面５ｂ）における止めバンド６の前後長さ寸法Ａと、止めバンド６の左右幅寸法Ｂとが、４≦Ａ／Ｂ≦１０の関係にある。換言すれば、止めバンド６の左右幅寸法Ｂは、前後長さ寸法Ａに対して１０分の１から４分の１の範囲となるように寸法設定した。図示例では、左右幅寸法Ｂが、前後長さ寸法Ａの５分の１になっている。
【００２５】
上記の数値範囲を満たす止めバンド６は、従来の止めバンドに比べて幅狭であり、収納ケース５のケース上面５ａあるいはケース下面５ｂを覆う面積が小さい。このため、熱収縮により止めバンド６に皺付きが生じ難く、外観上の体裁に優れた単位包装体１１が得られた。
【００２６】
複数個の単位包装体１１をひとまとめにして、パック包装した状態で販売する場合には、図４に示すように、複数個の単位包装体１１を重ね合わせて集積した後、その外周面全体を熱収縮性フィルムからなる包装シート１３で密封状に包装する。具体的には、例えば５個の単位包装体１１を上下に重ねてブロック状とし、その外周面を包装シート１３で筒状に包み込み、内外に重なるシート端どうしを集合包装体１６の外側で熱溶着する。さらに、図の左右側面にはみ出た包装シート１３の筒端部を単位包装体１１の側面に沿って折り込み、この折り込み部分１５を熱溶着する。最後に、包装シート１３の全体を均等に加熱して熱収縮させ集合包装体１６を形成する。
【００２７】
上記実施例においては、止めバンド６を用いて情報記録媒体Ｍ入りの収納ケース５にインデックスカードＳ１およびタイトルカードＳ２を縛るように包装したが、インデックスカードＳ２は省略してもよい。本発明はミニディスクに代表されるディスクカートリッジの包装構造に限られず、テープカートリッジの包装構造にも適用できる。
【００２８】
（実施例）  次に、本発明の止めバンド６における数値の臨界的意義を明らかにする。まず、左右の幅寸法が異なる数種の止めバンド６を用意し、これら止めバンド６を用いて単位包装体１１を作製した。ここでの止めバンド６は、材質はポリプロピレン、厚み３０μｍの熱収縮性フィルムで、幅は5.５mm、７mm、１０mm、１4.５mm、１８mm、２４mm、３８mmを使用した。
【００２９】
具体的には、表１に示すごとく、左右幅寸法（Ｂ）が異なるＮo.１〜Ｎo.７の７種類の止めバンド６を用いて、図１に示すようなミニディスクの単位包装体１１を作製した。収納ケース５のケース上面５ａの前後寸法、すなわち図１の前後長さ寸法Ａの値は、７３mmとした。
【００３０】
【表１】
2006327645.tif 000003
【００３１】
「皺の有無」は、熱収縮後における止めバンド６の皺付きの有無を目視にて確認したものである。そこでの○印は皺が全く確認できない状態を、×印は皺が確認できる状態をそれぞれ意味している。
「トラブル」は、製造ラインに流したときのトラブルの発生状態を評価しており、○印はトラブルは全く見られない状態を、△印は稀に帯状フィルムが切れた状態を、×印は帯状フィルムが切れやすく、ライン停止のトラブルが多発した状態をそれぞれ示す。
【００３２】
表１のＮo.２およびＮo.３より、Ａ／Ｂの値が「４」を下回ると、止めバンド６の幅寸法が大きくなって、皺付きが多発しやすくなることがわかる。また、Ｎo.６およびＮo.７より、Ａ／Ｂの値が「１０」を超えると、止めバンド６が切断されやすくなり、製造ラインにおけるトラブルが多発することがわかる。また、Ｎo.４およびＮo.５より、Ａ／Ｂが「５」を超えると、稀に止めバンド６が切れてトラブルを生じさせることがわかる。以上より、好適なＡ／Ｂの値の範囲は、「４〜１０」が好ましく、「４〜５」が最適であることがわかった。
【図面の簡単な説明】
【００３３】
【図１】単位包装体の斜視図
【図２】包装対象の分解斜視図
【図３】単位包装体の平面図
【図４】集合包装体の斜視図
【符号の説明】
【００３４】
３  収納ケースの前面の開口部
５  収納ケース
６  止めバンド
７  インデックスカードの上面片
９  インデックスカードの前面片
１０  インデックスカードの下面片
１１  単位包装体
１３  包装シート
１６  集合包装体
Ｍ  情報記録媒体
Ｓ１  インデックスカード
【図１】
2006327645.tif 000004
【図２】
2006327645.tif 000005
【図３】
2006327645.tif 000006
【図４】
2006327645.tif 000007